(57)【要約】【課題】 扉全体を養生することができることは言うまでもなく、構成が複雑でなく、取付け、取り外し作業も迅速且つ簡単で扉を傷つけたりする心配もなく、長年にわたって使用可能とする。【解決手段】  少なくとも養生する扉４の縦幅と横幅よりも幅広の縦幅と横幅で緩衝性を有する柔軟シート材により形成される養生カバー本体２の左右の側縁２１，２２のほぼ同じ高さ位置に基端がそれぞれ固着されているとともにそれらの遊端に互いに着脱可能な係着部５を有し且つ少なくとも一方が伸縮可能な一対の帯状部材３１，３２からなる止着部材３ａ，３ｂ，３ｃとを有している。【選択図】  図１
2005220636.tif 000002
【特許請求の範囲】
【請求項１】
少なくとも養生する扉の縦幅と横幅よりも幅広の縦幅と横幅で緩衝性を有する柔軟シート材により形成される養生カバー本体と、前記養生カバー本体の左右の側縁のほぼ同じ高さ位置に基端がそれぞれ固着されているとともにそれらの遊端に互いに着脱可能な係着部を有し且つ少なくとも一方が伸縮可能な一対の帯状部材からなる止着部材とを有していることを特徴とする扉用養生カバー。
【請求項２】
前記養生カバー本体の表面または裏面の少なくとも一方にポケットが形成されている請求項１記載の扉用養生カバー。
【発明の詳細な説明】
【技術分野】
【０００１】
本発明は、引越し時や室内のリフォーム工事などを行う際に荷物や資材を出入り口を通過するとき、荷物や資材の接触により生じる傷や破損を生じたり、扉のノブなどにより荷物や資材が損傷したりするのを防ぐために用いられる扉用養生カバーに関するものである。
【背景技術】
【０００２】
従来、引越し時や室内のリフォーム工事などを行う際に室内から荷物や資材を搬出したり室内に搬入する場合には部屋の出入口を通過させなければならないが、通常部屋の出入口には扉が設置されており、引戸の場合には大きな開口部が形成できるとともに扉も壁などに沿って収納されるためそれほど心配はないが、開き戸の場合には出入口を有する壁面から突出した状態で開放される。
【０００３】
従って、室内へ搬出入する荷物や資材などが出入口を通過する際に接触し易く、殊に、間取りの関係で壁や間仕切りによって大きく開くことができない場合には荷物の搬出入の障害になることもある。
【０００４】
そのため、荷物や資材の搬出入をする際に、開き戸の扉については通常の壁面以上に養生を施す必要がある。
【０００５】
ところが、従来の扉に対する養生は、通常の壁面の場合と同様に、適宜の緩衝性を有するシートやパネルを粘着テープなどを用いて貼り付けるものであ留が、開放状態にある扉は出入口がある壁面から突出した位置にあり、少なくとも扉の表面と開放側の側面を覆う必要があり、シートやパネルを粘着テープなどを用いて貼り付ける場合には表面側に張り代となる部分がなく、シートやパネルを裏面側に折り曲げて裏面において粘着テープなどにより固着しなければならず、貼り付け作業が容易でない。また、開き戸の扉には必ず開閉用の取手が突出しており、厚手のシートやパネルを用いた場合には扉との間に大きな隙間が形成されるので事実上使用することができない。更に、粘着テープやシート材が再使用できず経済的にも問題があるとともに、使用後に粘着テープにより扉が汚れたり、塗装が剥がれたりする心配もある。
【０００６】
そこで、従来のシートやパネルを粘着テープなどを用いて貼り付けることのない扉の養生カバーが特開平１０−２３６５２０号公報に提示されている。
【０００７】
しかしながら、前記公報に提示されている扉の養生カバーは、扉全体を養生するものでなく、主として取手の部分を大正としたものであり、扉全体を養生するという効果が期待できないばかりか、構造も複雑で、設置作業も縦横方向のバンドを使用したり、吊り下げ用バンドの長さを扉に合わせて調節するなど面倒である。
【特許文献１】特開平１０−２３６５２０号
【発明の開示】
【発明が解決しようとする課題】
【０００８】
本発明が解決しようとする課題は、扉全体を養生することができることは言うまでもなく、構成が複雑でなく、取付け、取り外し作業も迅速且つ簡単で扉を傷つけたりする心配もなく、長年にわたって使用できるきわめて経済的な扉用養生カバーを提供するものである。
【課題を解決するための手段】
【０００９】
前記課題を解決するため、本発明である扉用養生カバーは、少なくとも養生する扉の縦幅と横幅よりも幅広の縦幅と横幅で緩衝性を有する柔軟シート材により形成される養生カバー本体と、前記養生カバー本体の左右の側縁のほぼ同じ高さ位置に基端がそれぞれ固着されているとともにそれらの遊端に互いに着脱可能な係着部を有し且つ少なくとも一方が伸縮可能な一対の帯状部材からなる止着部材とを有していることを特徴とする。
【００１０】
また、前記養生カバー本体の表面または裏面の少なくとも一方にポケットが形成されている。
【発明の効果】
【００１１】
養生カバー本体で扉の正面と側面とを覆い、背面で伸縮性を有する止着部材を係着するだけで弾性による付勢力により強固に固着する。使用後は、止着部材の係着を解除するだけでよい。また、粘着テープなどを用いないので扉を汚したり、損傷する心配もない。
【００１２】
また、表面に設けたポケットには、ストッパなどの付属物を収容しておくことができ、裏面に設けた取手位置のポケットには、段ボールなどのパネル材を挿入することにより、特に荷物が当たりやすく、また損傷させやすい取手部分を特に念入りに養生することもできる。
【発明を実施するための最良の形態】
【００１３】
次に、本発明を実施するための最良の形態について説明する。
【００１４】
図１は本発明の好ましい実施の形態を示すものであり、本発明である扉用養生カバー１は、主として養生カバー本体２と養生カバー本体２の左右の側縁２１，２２に付設された帯状部材３１，３２からなる複数の止着部材３ａ，３ｂ，３ｃとから構成される。
【００１５】
そして、養生カバー本体２は例えばキルテングのような適宜の緩衝性と柔軟性を有する素材により形成され、縦幅ｈ１が養生する扉４の縦幅ｈ２よりも幅広で、横幅ｗ１が養生する扉３の縦幅ｗ２よりも幅広の縦長矩形状を呈している。
【００１６】
また、各止着部材３ａ，３ｂ，３ｃは、それぞれゴム紐のような適宜の伸縮性を有する帯状部材３１，３２からなり、帯状部材３１の先端には脱着可能な係着部５を構成する面ファスナーの一方の係着部材（例えばフック）５１が、帯状部材３２の少なくとも一面に面ファスナーのもう一方の係着部材（例えばループ）５２が付設されている。
【００１７】
次に、本実施の形態の使用方法について説明する。
【００１８】
図２及び図３は本実施の形態の使用方法を示すものであり、まず、養生カバー本体２を拡げてその側縁２２を開放した状態の扉４の出入口７への取付部に合わせるとともに、下端２３を扉４の下端に合わせて上方端部２１の余った部分と側方の余った部分２１を裏面側に折り返して扉４に掛ける。
【００１９】
次いで、各止着部材３ａ，３ｂ，３ｃの帯状部材３１を、扉４と壁面７１との間に形成されている隙間８を介して裏面側に通し、裏面側に折り返してある側方の余った部分２１に付着されているもう一方の帯状部材３２とを互いに係着する。
【００２０】
このとき、各帯状部材３１，３２は伸縮するので、少なくとも一方の帯状部材３１（又は３２）を伸ばした状態で係着部材（例えばフック）５１を、帯状部材３２の係着部材５２とを係着して係着部５を係着状態にすれば、各帯状部材３１，３２の弾性による付勢力により強固に固着する。
【００２１】
また、扉４付近にストッパなどがある場合にはポケット６に収容しておく。
【００２２】
以上のような方法で扉４に装着して養生を図る本実施の形態は、係着部材５１と係着部材５２との係着を解除して係着部５を開放し、そのままの状態で養生カバー本体２を表側から引き剥がすだけの簡単な作業で扉４から取り外すことができる。
【００２３】
扉４から取り外した扉用養生カバー１は、廃棄することなく、そのまま畳んで運搬、保管し、次の使用に備えればよい。
【００２４】
尚、本実施の形態では、養生カバー本体２としてキルテング材を用いたが、例えばゴム製シートなど適宜の柔軟性と緩衝性を有するシートであればよい。また、各帯状部材３１，３２及び係着部５も伸縮性を有するものであればよく、ゴム紐に限らない。さらに、係着部５も各帯状部材３１，３２を簡単に係脱可能なものであればよく面ファスナに限らない。
【００２５】
図４は本発明の異なる実施の形態を示すものであり、全体的な構成ならびに使用方法は前記図１に示した実施の形態とほぼ同様であるが、養生カバー本体２の裏面における使用時に扉の取手（図示せず）に当たる部分にポケット９が形成されており、使用の際にポケット９に例えば段ボール材などからなる養生カバー本体２よりも剛性を有する平板状の緩衝材を挿入することにより、特に荷物や資材がぶつかって損傷しやすい取手部分をきわめて有効に養生することができる。
【図面の簡単な説明】
【００２６】
【図１】本発明の好ましい実施の形態を示す正面図。
【図２】図１に示した実施の形態の使用状態を表側から見た説明図。
【図３】図１に示した実施の形態の使用状態を裏側から見た説明図。
【図４】本発明の異なる実施の形態を示す背面図。
【符号の説明】
【００２７】
１  扉用養生カバー、２  養生カバー本体、３ａ  止着部材、３ｂ  止着部材、３ｃ  止着部材、５  係着具、６  ポケット、９  ポケット、２１  側縁、２２  側縁、３１  帯状部材、３２  帯状部材
【図１】
2005220636.tif 000003
【図２】
2005220636.tif 000004
【図３】
2005220636.tif 000005
【図４】
2005220636.tif 000006